(57)【要約】      （修正有）【課題】防犯性能を向上させるとともに防水性の優れた施錠装置及び該施錠装置を備えた戸体を提供する。【解決手段】室内側から室内側ユニット、錠箱及び室外側ユニットを備え、室内側及び室外側から施解錠操作が可能な施錠装置であり、室内側ユニットが一端を錠箱に固定され他端を室内側に露出して配置された胴体部２５０と、胴体部の内部に設けられその一部を胴体部の室内側端部に露出して配置される係合機構と、係合機構に一部を係合させ他の一部を室内側に突出させるとともに胴体部と係合離脱可能なサムターン２４０と、胴体部を室内側から覆うように着脱可能に付けられたカバー２３０とを備え、カバーの装着時に胴体部への水分の浸入を制限し、カバーの非装着時に係合機構と係合したサムターン操作で錠箱の施解錠動作を許容し、サムターンと係合機構との離脱状態で錠箱の室内側からの施解錠動作を禁止する。【選択図】図３
2006312846.tif 000002
【特許請求の範囲】
【請求項１】
室内側から室内側ユニット、錠箱及び室外側ユニットをこの順に備え、室内側及び室外側からの施解錠操作が可能である施錠装置であって、
前記室内側ユニットが、
一端を前記錠箱に固定され、他端を室内側に露出して配置された胴体部と、
前記胴体部の内部に設けられ、その一部を前記胴体部の室内側端部に露出して配置される係合機構と、
前記係合機構に少なくとも一部を係合させ、他の一部を前記胴体部のさらに室内側に突出して配置されるとともに前記胴体部と係合離脱が可能であるサムターンと、
前記胴体部を室内側から覆うように着脱可能に取り付けられたカバーと、を備え、
前記カバーの装着時に前記胴体部への水分の浸入を制限するとともに、
前記カバーの非装着時に前記係合機構と係合した前記サムターンの操作で前記錠箱の施解錠動作を許容し、
前記サムターンと前記係合機構との離脱状態で、前記錠箱の室内側からの施解錠動作を禁止することを特徴とする施錠装置。
【請求項２】
前記カバーが、前記サムターンと前記係合機構との係合状態で、前記サムターンと前記胴体部とを室内側から覆うように配置可能であることを特徴とする請求項１に記載の施錠装置。
【請求項３】
前記カバーが、
前記胴体部の外周面形状と同一の内周面形状を有し、一端が閉鎖され、他端が開口した筒状である筒状体と、
前記筒状体の側壁の少なくとも１箇所に前記筒状体の側壁を貫通した孔と、を備え、
前記筒状体の開口した端部から前記筒状体の内側へ前記胴体部を差し込むとともに、該差し込んだ姿勢で前記孔の少なくとも一部が前記筒状体の下部に配置されることにより、前記胴体部への水分の浸入を制限するとともに、侵入した水分を前記孔より排出可能であることを特徴とする請求項１又は２のいずれか一項に記載の施錠装置。
【請求項４】
室内側から室内側ユニット、錠箱及び室外側ユニットをこの順に備え、室内側及び室外側からの施解錠操作が可能である施錠装置であって、
前記室内側ユニットが、
一端を前記錠箱に固定され、他端を室内側に露出して配置された胴体部と、
前記胴体部の内部に設けられ、その一部を前記胴体部の室内側端部に露出して配置される係合機構と、
前記係合機構に少なくとも一部を係合させ、他の一部を前記胴体部のさらに室内側に突出して配置されるとともに前記胴体部と係合離脱が可能であるサムターンと、
前記胴体部を室内側から覆うように着脱可能に取り付けられたカバーと、を備え、
前記施錠装置を浴室に使用する必要があるときには、前記カバーを使用し、
前記施錠装置を浴室以外に使用するときには、前記カバーを使用しないことを特徴とする一般用と浴室用との兼用施錠装置。
【請求項５】
請求項１〜４のいずれか一項に記載の施錠装置を備え、
建物開口部に設けられた４辺の枠体の内側に配置されるとともに前記施錠装置の係止部材が前記枠体に設けられた受座と係合離脱することにより、移動又は回動を禁止及び許容することを特徴とする戸体。
【発明の詳細な説明】
【技術分野】
【０００１】
本発明は、住宅等の建物の開口部装置に用いられる防犯性及び防水性に優れた施錠装置及び該施錠装置を備えた戸体に関する。特に、屋外との出入のための開口部装置に配置され、優れた防犯性を与えるとともに、浴室等の水に濡れる可能性の高い場所で好適に使用される施錠装置及び該施錠装置を備えた戸体に関する。
【背景技術】
【０００２】
近年の多様化した住宅等の建物の中で、開放感を与えることのできるデザインを採用した建物の需要が増加している。これは、特に室内に開放感あるデザインを採用することで、より快適な空間の中で生活をしたいとの要望が多いからである。そのために、室内に開放感を有する装置や設備を適用したり、隣接する空間との関係を利用したりする等の方法が取り入れられている。
【０００３】
住宅等に備えられる浴室についても例外ではなく、リラックスする空間として、これまで浴室に不足する傾向にあった開放感や明るさ等の点を改善し、上述の要望等を満たす新たなデザインが必要とされている。
【０００４】
浴室に開放感を与えるための方法の１つに、屋外と連通した開口を設けることが挙げられる。浴室と屋外とを連通する開口を設けることにより、例えば海岸に近い住宅においては海からの帰宅時に直接浴室へ入り、砂等を洗い落とすことができる。また、飼い犬の散歩からの帰宅時に直接浴室へ入り、お湯を利用することもできる。さらには、浴室をバルコニー又は前庭等の空間と連通することによって夏場には浴室を子供達のプールのように利用することも可能となる。いずれにおいても、浴室と屋外とを連通させることによってこれまでの浴室に比べて開放的で快適な空間を提供することができる。
【０００５】
一方、このように浴室と屋外とを連通する開口部を設けた場合には、屋外から屋内への侵入が可能となるので、かかる連通部分には閉鎖時に適切に防犯がされるような構成の開口部装置が備えられなければならない。従って、かかる防犯設備が備えられた扉等は玄関と同等以上の防犯上の機能を有している必要がある。
【０００６】
このような、防犯性に優れた施錠装置等が特許文献１〜４に開示されている。特許文献１及び特許文献３には、戸体に備えられた施錠装置の室内側の施解錠を抜き差し可能な鍵により構成し、屋外からの不正方法による室内側サムターン回しを防止している。また、特許文献２及び特許文献４は、既存のサムターンに取り付けられる治具により、ドアの室外側からの不正な方法により室内側のサムターンが操作されることを防止している。
【特許文献１】特開平１１−９３４８２号公報
【特許文献２】特開２００３−１８４３５７号公報
【特許文献３】特開２００３−２１３９８０号公報
【特許文献４】特開２００４−１０７８９１号公報
【発明の開示】
【発明が解決しようとする課題】
【０００７】
しかし、上述したような理由により、浴室と屋外との連通を許容・禁止する開口部装置に防犯性を高めるために、特許文献１〜４を適用した場合には以下のような問題があった。特許文献１及び特許文献３に記載の発明のように室内側の鍵を抜き差し可能にした場合においては、施錠装置の室内側に鍵穴に相当する開口があり、該開口に水が入ることにより、施錠装置に悪影響を与える虞があった。特許文献２及び特許文献４に記載のサムターンに取り付ける治具に関しても、水や水分は入り難いものの一度水が入り込んでしまうと排出が困難であり、施錠装置に悪影響を与える虞があった。
【０００８】
いずれの場合においても、防犯性は維持されるものの、浴室で使用されるという環境上の理由から必ずしも浴室で利用するために適した構造でないという問題があった。また、浴室で使用されることに限らず、玄関等においても、水がかかる等の問題が全く無いとは言えない。
【０００９】
一方で、施錠装置の室内側においてその構成部材そのものを全て防水仕様とすることも考えられるが、そのために施錠装置が高価なものとなり、より簡易的で確実な方法による防水が望まれる。
【００１０】
そこで本発明は、防犯性能を向上させるとともに防水性の優れた施錠装置及び該施錠装置を備えた戸体を提供することを課題とする。
【課題を解決するための手段】
【００１１】
本発明者は、鋭意検討した結果、室内側サムターンを着脱可能とし、優れた防犯性を有するとともに、水に濡れる可能性のある環境においても信頼性及び耐久性の高い施錠装置及び該施錠装置を備えた戸体を開発した。以下、本発明について説明する。なお、本発明の理解を容易にするために添付図面の参照符号を括弧書きにて付記するが、それにより本発明が図示の形態に限定されるものではない。
【００１２】
請求項１の発明は、室内側から室内側ユニット、錠箱及び室外側ユニットをこの順に備え、室内側及び室外側からの施解錠操作が可能である施錠装置であって、室内側ユニットが、一端を錠箱に固定され、他端を室内側に露出して配置された胴体部（２５０）と、胴体部の内部に設けられ、その一部を胴体部の室内側端部に露出して配置される係合機構と、係合機構に少なくとも一部を係合させ、他の一部を胴体部のさらに室内側に突出して配置されるとともに胴体部と係合離脱が可能であるサムターン（２４０）と、胴体部を室内側から覆うように着脱可能に取り付けられたカバー（２３０）とを備え、カバーの装着時に胴体部への水分の浸入を制限するとともに、カバーの非装着時に係合機構と係合したサムターンの操作で錠箱の施解錠動作を許容し、サムターンと係合機構との離脱状態で、錠箱の室内側からの施解錠動作を禁止することを特徴とする施錠装置を提供することにより前記課題を解決する。
【００１３】
請求項２の発明は、請求項１に記載の施錠装置は、カバー（２３０）が、サムターン（２４０）と係合機構との係合状態で、サムターンと胴体部（２５０）とを室内側から覆うように配置可能であることを特徴とする。
【００１４】
請求項３の発明は、請求項１又は２のいずれか一項に記載の施錠装置は、カバー（２３０）が、胴体部（２５０）の外周面形状と同一の内周面形状を有し、一端が閉鎖され、他端が開口した筒状である筒状体と、筒状体の側壁の少なくとも１箇所に筒状体の側壁を貫通した孔（２３２）とを備え、筒状体の開口した端部から筒状体の内側へ胴体部を差し込むとともに、該差し込んだ姿勢で孔の少なくとも一部が筒状体の下部に配置されることにより、胴体部への水分の浸入を制限するとともに、侵入した水分を孔より排出可能であることを特徴とする。
【００１５】
請求項４の発明は、室内側から室内側ユニット、錠箱及び室外側ユニットをこの順に備え、室内側及び室外側からの施解錠操作が可能である施錠装置であって、室内側ユニットが、一端を錠箱に固定され、他端を室内側に露出して配置された胴体部（２５０）と、胴体部の内部に設けられ、その一部を胴体部の室内側端部に露出して配置される係合機構と、係合機構に少なくとも一部を係合させ、他の一部を胴体部のさらに室内側に突出して配置されるとともに胴体部と係合離脱が可能であるサムターン（２４０）と、胴体部を室内側から覆うように着脱可能に取り付けられたカバー（２３０）とを備え、施錠装置を浴室に使用する必要があるときにはカバーを使用し、施錠装置を浴室以外に使用するときには、カバーを使用しないことを特徴とする一般用と浴室用との兼用施錠装置を提供することにより前記課題を解決する。
【００１６】
請求項５の発明は、請求項１〜４のいずれか一項に記載の施錠装置（２２０）を備え、建物開口部に設けられた４辺の枠体（２０１、２０２、２０３、２０４）の内側に配置されるとともに施錠装置の一部が枠体に設けられた受座と係合離脱することにより、移動又は回動を禁止及び許容することを特徴とする戸体（２１０）により前記課題を解決する。
【発明の効果】
【００１７】
請求項１の発明によれば、室内側の施錠ユニットに着脱可能であるサムターンを備えることにより優れた防犯性を有するとともに、室内側の施錠ユニットにカバーを取り付けることにより、室内側施錠ユニット内に水等が入ること防止することができる。また、カバーは着脱可能とされているので、サムターンを操作するときにはカバーをはずして操作することができる。これにより、室外からの不正操作によりサムターンの操作をすることができず、防犯性を向上させるとともに、水が直接かかっても信頼性及び耐久性の高い施錠装置となる。
【００１８】
請求項２の発明によれば、施錠装置にサムターンが取り付けられた状態でも、カバーがサムターンと胴体部とを覆うように配置されるので、サムターンをわざわざ取り外さなくても防水性を確保できる。
【００１９】
請求項３の発明によれば、カバーが、その一端を閉鎖された筒状であり、筒の内面形状を胴体部の外面形状と略同一に形成することにより、カバーの内側に胴体部を差し込むように配置でき、好適に防水することができる。また、カバーの側面に側壁を貫通した孔を設け、該孔がカバーの下部になるように配置することにより、水が浸入した場合にも孔から水を排出することができる。これによって、防水性に優れた施錠装置とすることが可能となる。
【００２０】
請求項４の発明によれば、本発明の施錠装置は、胴体部に備えられた係合機構やその他の部材を防水仕様とする必要がなく、カバーを取り付けるのみでよい。これにより、一般用の部材を利用して浴室用とすることが可能となる。よって、製造コストを増大させることなく一般用と浴室用とを兼用した施錠装置を製造することができる。
【００２１】
請求項５の発明によれば、請求項１〜４に示した効果を有する施錠装置を備えた戸体を提供することができる。これにより、優れた防犯性を有するとともに防水性も備え、信頼性及び耐久性の高い戸体を提供することができる。
【００２２】
本発明のこのような作用及び利得は、次に説明する発明を実施するための最良の形態から明らかにされる。
【発明を実施するための最良の形態】
【００２３】
以下本発明を図面に示す実施形態に基づき説明する。
【００２４】
図１は、本発明の１つの実施形態にかかる施錠装置２２０（図２参照）及び該施錠装置を有する戸体２１０（図２参照）を備えた浴室１００の上面図である。施錠装置２２０及び戸体２１０は、開口部装置２００に設置されている。浴室１００には、鏡やシャワー等が配置された洗面カウンタ１０１と浴槽１０２とを有している。また、浴室１００は紙面下側の面で脱衣所１２０と隣接しており、開口部装置１０３を通じて浴室１００と脱衣所１２０との往来が可能となっている。さらに浴室１００の紙面右側の面は前庭１１０と隣接しており、浴室１００と前庭１１０との往来が開口部装置２００を通じて可能となっている。
【００２５】
図１に示した浴室の配置は例示であり、これに限定されるものではない。近年においては浴室にテレビ等を配置する場合もあり、浴室に配置される設備になんら制限はない。また、浴槽、洗面カウンタ、開口部装置の配置も図１に限定されることはなく、場合に応じて適宜変更可能である。さらに、開口部装置２００の室外側は前庭１１０に限定されず、例えばバルコニー等であっても良い。
【００２６】
図２は、開口部装置２００を室内側及び室外側から見た正面図である。図２（ａ）が室内側、図２（ｂ）が室外側からの図である。本発明の施錠装置２２０及び施錠装置２２０を備えた戸体２１０は、開口部装置２００の枠体２０１、２０２、２０３、２０４の内側に配置される。戸体２１０には図２（ａ）のように室内側から見て左側に施錠装置２２０を備え、施錠装置２２０の下方に把手２１２が設けられている。使用者は通常、把手２１２の操作により戸体２１０を開閉させ、施錠装置２２０により戸体２１０が開くことを禁止したり、許容したりする。戸体２１０にはその他にパネル２１１、２１１、２１１、２１１を有しており、意匠的にも優れた戸体２１０としている。図２（ｂ）に示したように室外側から見た場合には、右側に施錠装置２２０及びその下方に把手２１３を備えている。
【００２７】
開口部装置２００においては、使用者は室内側から把手２１２を手前に操作し又は室外側から把手２１３を操作し、戸体２１０を開閉することができる。開口部装置２００はいわゆるスイング式の開口部装置であるが、開口部装置の開閉の形式は限定されることはなく、例えば引戸式の開口部装置であっても良い。
【００２８】
図３は、戸体２１０に備えられた施錠装置２２０の構成を並べて示した側面図である。紙面左が室内側、紙面右が室外側である。施錠装置２２０は、室内側から、カバー２３０と、サムターン２４０と、胴体部２５０と、デッドボルト２８０を備えた錠箱（錠箱本体は戸体２１０の内部に配置されているので図３では見えない。）と、シリンダ２６０と、キー２７０とをこの順に備えている。図４は、サムターン２４０を胴体部２５０の中に差し込み、カバー２３０を胴体部２５０の外周にはめ込むようにして配置した場合の施錠装置２２０を示したものである。図４においては透視した部分は破線で示している。カバー２３０及びサムターン２４０は、着脱可能となっているので、使用者により図３のように各部材を離脱させた状態と図４のように装着させた状態とにすることができる。室外側のキー２７０もその性質上、シリンダ２６０と着脱可能となっている。
【００２９】
次に各部材について説明する。図５は、カバー２３０の平面図である。図５（ａ）は正面図、図５（ｂ）は側面図、図５（ｃ）は背面図、図５（ｄ）は下面図である。カバー２３０は、一端が閉鎖された円筒形状を有しており、側壁部２３１ａと閉鎖部２３１ｂとを備えている、閉鎖部２３１ｂに対向する円筒形状端部は開口しており、端面２３６を有している。また、側壁部２３１ａの下部には、長手方向両端部に壁を貫通した切欠き２３２、２３４が設けられている。図５（ｄ）に示したように、切欠き２３２と切欠き２３４とは略長方形形状を有しており、切欠き２３２、２３４の、カバー２３０の長手方向（紙面左右方向）の中心線は略同一線上に配置されている。
【００３０】
切欠きの大きさ等について説明する。図６は、図４のようにカバー２３０を胴体部２５０に差し込んで配置した場合における施錠装置２２０の室内側正面図及び下面図である。図６においては、正面図では紙面奥が室外側、紙面手前が室内側であり、下面図では紙面左が室内側、紙面右が室外側となる。図６ではカバー２３０の胴体部２５０への差込位置の違いによる３つの場面を示した。後で詳しく説明するが、胴体部２５０はサムターン２４０を抜くための解除機構（不図示）を備えており、該解除機構の操作部２５１が胴体部２５０の下部から下方に突出して配置されている。カバー２３０は、この操作部２５１が切欠き２３４の内側に入るように胴体部２５０に取り付けられる。従って、切欠き２３４の室内外方向の大きさ及び室内外方向に直交する方向の大きさは、操作部２５１の室内外方向の大きさ及び室内外方向に直交する方向の大きさよりも大きく設けられている。
【００３１】
以上のように設けられた切欠き２３４において、図６（ａ）のカバー２３０は、操作部２５１の室内外方向中心線が切欠き２３４の室内外方向中心線に略一致して取り付けられている。よって、切欠き２３４及び切欠き２３２の室内外中心線がカバー２３０の略最下点となる。
【００３２】
また、図６（ｂ）の場合におけるカバー２３０は、切欠き２３４の内側に操作部２５１が配置されているものの、操作部２５１の室内外方向に平行な一辺が切欠き２３４の室内外方向に平行な一辺と接する位置までずれている。これは、図６（ａ）に比べて図６（ｂ）のカバー２３０が、正面図においてカバー２３０の中心を軸に時計方向にわずかに回転した状態で取り付けられたため、操作部２５１の室内外方向中心線と切欠き２３４の室内外方向中心線とが、一致しない状態となっている。従って、切欠き２３２の室内外方向中心線も操作部２５１の室内外方向中心線と一致しない。この場合、図６の正面図にＡで示した切欠き２３２の幅の大きさによっては、カバー２３０の最下点に切欠き２３２のいずれの部位も配置されない場合がある。
【００３３】
そこで、図６（ｂ）で示したような操作部２５１と切欠き２３４との関係になった場合においても、切欠き２３２は、図６（ｂ）の正面図で示したように切欠き２３２のいずれかの部位が最下点に配置されるような幅を有している。図６（ｃ）は図６（ｂ）に対して反対にずれた場合である。
【００３４】
以上のように切欠き２３２、２３４を構成することにより、まず切欠き２３４を操作部２５１よりも大きく設けているので、カバー２３０を胴体部２５０に取り付ける際の使用者の操作容易性が向上する。さらに、切欠き２３２が上述のような幅を有することにより切欠き２３４内に操作部２５１が配置されていれば、切欠き２３２の少なくとも一部がカバー２３０の最下点に位置する。これによって後述するように排水の確実性が向上する。
【００３５】
カバー２３０には、防水性のあるあらゆる材料が適用可能である。その中でも防水性、耐候性、強度等の観点からシリコンゴムが好適に使用される。しかしこれに限定される必要は無く、目的に見合った材料が適宜選択可能である。
【００３６】
図３及び図４に戻り、サムターン２４０及び胴体部２５０について説明する。上述したように施錠装置２２０のサムターン２４０は、胴体部２５０から着脱可能となっている。サムターン２４０は摘み２４１と係合部２４２とを備えている。胴体部２５０は基体２５３と、挿入部２５２とが一体に形成され、挿入部２５２は基体２５３より小さい外径で形成されている。胴体部２５０において、基体２５３の一端は戸体２１０内に配置された錠箱（不図示）に取り付けられ、挿入部２５２の一端が室内側に露出している。挿入部２５２の外周はカバー２３０の内周と略同一形状であり、室内側から室外側へ径が大きくなるようなテーパを有している。また、胴体部２５０はその内部にサムターン２４０の係合部２４２と係合する係合機構（不図示）を有しており、該係合機構の一部が挿入部２５２の室内側端面から室内側に露出している。サムターン２４０と胴体部２５０とは、該係合機構により係合可能とされており、係合する際には図４のようにサムターン２４０の係合部２４２を係合機構へ差し込む。さらに胴体部２５０は係合したサムターン２４０と胴体部２５０とが意図しない場面で抜け落ちることを防止するための脱落防止機構（不図示）を備えている。胴体部２５０と係合したサムターン２４０を抜くには、胴体部２５０の下部に突出して備えられた操作部２５１を上方に上げて、脱落防止機構を解除すればよい。サムターン２４０と胴体部２５０とが係合されている場合には、通常のサムターンと同じように摘み２４１を回動操作させることにより錠箱のデッドボルト２８０が戸体２１０から突没する。これにより戸体２１０の施解錠ができる。
【００３７】
サムターン２４０と胴体部２５０との係合方法は特に限定されるものではなく、通常の当業者が適用可能な係合方法が利用できる。例えば、サムターン２４０と胴体部２５０とが、室外側に良く用いられるシリンダとキーとの関係であっても良い。また、シリンダとキーとの関係でなく、単なる対応した凹凸により係合させてもよい。つまりは、サムターンを胴体部に係合することによりサムターンの操作により戸体の錠箱に備えられたデッドボルトの操作が可能とされれば良く、特に限定されるものではない。
【００３８】
室外側には、シリンダ２６０及び該シリンダ２６０に抜き差しして使用するキー２７０が備えられている。該キー２７０をシリンダ２６０に差し込み、キーを操作することにより、戸体２１０内に配置された錠箱のデッドボルト２８０が戸体２１０から突没し、枠体と係合離脱することにより室外側からの施解錠が可能となる。
【００３９】
以上のような構成を有する施錠装置２２０及び該施錠装置を備えた戸体２１０とすることにより、室内側サムターンが着脱可能なことで防犯性能を向上させた施錠装置となるとともにカバーを備えることにより、防水性が向上し、信頼性及び耐久性の高い施錠装置及び該施錠装置を備えた戸体を提供することができる。
【００４０】
本発明の施錠装置２２０及び該施錠装置２２０を備えた戸体２１０では、上述のようにサムターン２４０を胴体部２５０から着脱可能としている。図７はカバー２３０を取り付けていない場合における施錠装置２２０及び戸体２１０の一部を示した側面図である。図７では戸体２１０を挟んで紙面左側が室内側、紙面右側が室外側である。使用者は、例えば外出するときにカバー２３０を胴体部２５０から取り外し、図７（ａ）の状態からサムターン２４０を操作する。これによりデッドボルト２８０が戸体２１０から突出し、枠体と係合して戸体２１０の施錠ができる。次に図７（ｂ）に示したようにサムターン２４０を操作部２５１を利用して胴体部２５０から抜き出し、サムターン２４０を胴体部２５０から離脱させる。これにより外出時にサムターン回し等による屋外からの不正なサムターン操作が不可能となり、防犯性が向上する。
【００４１】
施錠装置２２０及び該施錠装置２２０を備えた戸体２１０の浴室への使用等で、水濡れの虞がある場合、カバー２３０を胴体部２５０へ差し込むように配置することができる。この際、図４に示したようにサムターン２４０を胴体部２５０に差し込んだままでも良いし、図８に示したようにサムターン２４０を取り外した状態でも良い。いずれの場合においても、カバー２３０の内面と胴体２５０外周面との接触した部分で、胴体部２５０の内部への水等の浸入を防止することができる。さらに、なんらかの原因で水等がカバー２３０の内側へ侵入した場合でも、切欠き２３２より適切に水等を排出することができる。切欠き２３２は、前述のように少なくともその一部が必ずカバー２３０の最下点に位置されるような構造を有しているので、水等の排出は効率よく、確実に行われる。
【００４２】
以上により、施錠装置２２０及び該施錠装置２２０を備えた戸体２１０は、防犯性の向上及び防水性に優れた施錠装置及び戸体とすることができる。
【００４３】
また、本発明の施錠装置２２０及び該施錠装置２２０を備えた戸体２１０は、カバー２３０により防水を可能としているので、胴体部２５０やその内部に備えられた係合機構に防水のための処理や部材の追加を必要としない。従って、通常、玄関等において使用している施錠装置の部材をそのまま使用することができる。これによって製造コストを増大させることなく防水性を向上させることが可能となる。
【００４４】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う施錠装置及び該施錠装置を備えた戸体もまた本発明の技術的範囲に包含されるものとして理解されなければならない。
【図面の簡単な説明】
【００４５】
【図１】本発明の１つの実施形態にかかる施錠装置及び該施錠装置を有する戸体を備えた浴室の上面図である。
【図２】開口部装置を室内側及び室外側から見た正面図である。
【図３】戸体に備えられた施錠装置の主要な構成要素を並べて示した側面図である。
【図４】サムターンを胴体部の中に差し込み、カバーを胴体部の外周にはめ込むようにして配置した場合の施錠装置を示したものである。
【図５】カバーの平面図である。
【図６】カバーを胴体部に差し込んで配置した場合における施錠装置の室内側正面図及び下面図である。
【図７】カバーを取り付けていない場合における施錠装置及び戸体の一部を示した側面図である。
【図８】サムターンを胴体部から取り外し、カバーを胴体部の外周にはめ込むようにして配置した場合の施錠装置を示したものである。
【符号の説明】
【００４６】
１００  浴室
１０１  洗面カウンタ
１０２  浴槽
１０３  開口部装置
１１０  前庭
１２０  脱衣所
２００  開口部装置
２０１  枠体
２０２  枠体
２０３  枠体
２０４  枠体
２１０  戸体
２１１  パネル
２１２  把手
２１３  把手
２２０  施錠装置
２３０  カバー
２４０  サムターン
２５０  胴体部
２６０  シリンダ
２７０  キー
２８０  デッドボルト
【図１】
2006312846.tif 000003
【図２】
2006312846.tif 000004
【図３】
2006312846.tif 000005
【図４】
2006312846.tif 000006
【図５】
2006312846.tif 000007
【図６】
2006312846.tif 000008
【図７】
2006312846.tif 000009
【図８】
2006312846.tif 000010